(57)【特許請求の範囲】
【請求項１】
測定により被検者の生体情報が取得されることで、電磁結合方式による送信が可能な状態へと移行し、該取得された生体情報の送信が完了することで、電磁結合方式による送信が不可能な状態へと移行する測定装置より、該取得された生体情報が送信された場合において、該送信された生体情報を受信する通信装置であって、該被検者ごとに割り当てられ、該被検者を特定する所定の位置に固定配置される通信装置と、
前記通信装置と通信可能に接続されるサーバ装置と、
前記被検者ごとに割り当てられた識別器具より、該被検者を識別する被検者識別子を読み取り可能な携帯端末と、を備える生体情報収集システムであって、
前記通信装置は、
前記通信装置を識別する装置識別子を記憶する識別子記憶手段と、
前記測定装置より前記送信された生体情報を受信した場合に、該受信した生体情報を前記装置識別子と対応付けて送信する送信手段と、を備え、
前記サーバ装置は、
前記送信手段により送信された前記生体情報と前記装置識別子とを受信する受信手段と、
前記装置識別子と、前記被検者を識別する被検者識別子との対応関係を示す情報を予め保持する保持手段と、
前記対応関係を示す情報に基づいて、前記受信手段において受信された生体情報と、前記保持手段により保持された被検者識別子とを対応づけて記憶する記憶手段と、を備え、
前記携帯端末は、
前記識別器具より読み取られた前記被検者識別子をキーとして、前記サーバ装置に、前記記憶手段に記憶された生体情報の送信を要求する要求手段と、
前記識別器具より読み取られた前記被検者識別子に対応する生体情報を、前記サーバ装置より受信し、表示する表示手段と
を備えることを特徴とする生体情報収集システム。
【請求項２】
前記識別器具には、前記被検者を識別する被検者識別子が、バーコードまたはタグとして付加されていることを特徴とする請求項１に記載の生体情報収集システム。
【発明の詳細な説明】
【技術分野】
【０００１】
本発明は、患者の生体情報を収集・管理するための処理技術に関するものである。
【背景技術】
【０００２】
従来より、医療施設においては、患者の健康状態を把握する目的で、体温や血圧、血糖値等の各種バイタルデータ（患者の生体情報）の収集ならびに管理を行っている。
【０００３】
具体的には、生体情報の時間変化を把握したり、医療施設内の情報化システムにおいて利用したりできるよう、当該収集された生体情報を情報処理装置に送信し、データベース化して管理している。このため、測定者は、体温計、血圧計、血糖計等の各種測定装置を用いて測定した測定データを、測定の都度、患者別に整理して手動で入力しなければならなかった。
【特許文献１】特開２００３−３３７８６３号公報
【発明の開示】
【発明が解決しようとする課題】
【０００４】
これに対して、最近では測定データの自動読み込み及び患者の認証処理を行う装置を、ＰＤＡや携帯電話等により実現させる試みがなされている。
【０００５】
しかしながら、測定データの自動読み込み及び患者の認証処理を行う装置を、ＰＤＡや携帯電話等により実現させようとした場合でも、取り込まれた測定データを所定の情報処理装置に送信するに際して、測定者は、どの患者の測定データであるのかを特定しておく必要があった。そこで、このような作業をも排除し、更に操作性を向上させることが求められている。
【０００６】
本発明は、上記課題に鑑みてなされたものであり、測定により取得された患者の生体情報を自動的に読み込むことが可能な操作性の高い生体情報収集システムを実現することを目的とする。
【課題を解決するための手段】
【０００７】
上記の目的を達成するために、本発明に係る生体情報収集システムは、例えば、以下のような構成を備える。即ち、
測定により被検者の生体情報が取得されることで、電磁結合方式による送信が可能な状態へと移行し、該取得された生体情報の送信が完了することで、電磁結合方式による送信が不可能な状態へと移行する測定装置より、該取得された生体情報が送信された場合において、該送信された生体情報を受信する通信装置であって、該被検者ごとに割り当てられ、該被検者を特定する所定の位置に固定配置される通信装置と、
前記通信装置と通信可能に接続されるサーバ装置と、
前記被検者ごとに割り当てられた識別器具より、該被検者を識別する被検者識別子を読み取り可能な携帯端末と、を備える生体情報収集システムであって、
前記通信装置は、
前記通信装置を識別する装置識別子を記憶する識別子記憶手段と、
前記測定装置より前記送信された生体情報を受信した場合に、該受信した生体情報を前記装置識別子と対応付けて送信する送信手段と、を備え、
前記サーバ装置は、
前記送信手段により送信された前記生体情報と前記装置識別子とを受信する受信手段と、
前記装置識別子と、前記被検者を識別する被検者識別子との対応関係を示す情報を予め保持する保持手段と、
前記対応関係を示す情報に基づいて、前記受信手段において受信された生体情報と、前記保持手段により保持された被検者識別子とを対応づけて記憶する記憶手段と、を備え、
前記携帯端末は、
前記識別器具より読み取られた前記被検者識別子をキーとして、前記サーバ装置に、前記記憶手段に記憶された生体情報の送信を要求する要求手段と、
前記識別器具より読み取られた前記被検者識別子に対応する生体情報を、前記サーバ装置より受信し、表示する表示手段とを備える。
【発明の効果】
【０００８】
本発明によれば、測定により取得された患者の生体情報を自動的に読み込むことが可能な操作性の高い生体情報収集システムを実現することが可能となる。
【発明を実施するための最良の形態】
【０００９】
以下、必要に応じて添付図面を参照しながら本発明の各実施形態を詳細に説明する。
【００１０】
［第１の実施形態］
１．生体情報収集システムの構成
図１は本発明の第１の実施形態にかかる生体情報収集システム１００の構成を示す図である。
【００１１】
１１０は測定装置であり、体温計、血圧計、血糖計等、患者の生体情報を取得するための装置の総称である。１２０は通信装置であり、測定装置１１０から送信される患者の生体情報（測定装置により測定されたデータであることから、以下、「測定データ」ともいう）を医療データサーバ１３０に送信する。なお、通信装置１２０は、ベッドや床頭台等を一時的に使用している患者を特定することが可能な（つまり、患者ごとに割り当てられた）病棟内の備品に固定配置された専用端末である。
【００１２】
１５０は生体情報読出し装置であり、ベッドや床頭台等を一時的に使用している患者を特定するための患者ＩＤを読み取ることが可能であるとともに、当該読み取った患者ＩＤに基づいて、医療データサーバ１３０から生体情報を読み出し・表示することが可能な汎用または専用の携帯端末である。
【００１３】
１４０は患者識別器具であり、具体的には、患者と結び付けられたカードやブレスレット等である。患者識別器具１４０には、患者を識別するための情報である患者ＩＤを含むバーコードやＲＦＩＤタグ等の患者ＩＤ記憶部１４１が付加されている。なお、患者ＩＤ記憶部１４１には、患者ＩＤのほか、診察券や保険証のＩＤ番号や、患者氏名等が記憶されている。
【００１４】
１３０は医療データサーバであり、受信したデータから患者ＩＤと測定データとの対応付けを行い、かつ測定データを患者ＩＤと対応付けて記憶するための専用アプリケーションを搭載した汎用計算機または専用端末である。
【００１５】
なお、通信装置１２０、生体情報読出し装置１５０と医療データサーバ１３０とは、ネットワーク１７０により通信可能に接続されている。また、測定装置１１０と通信装置１２０とは、無線通信（１６０）により接続可能である（詳細は後述）。
【００１６】
２．各装置の構成
以下、生体情報収集システム１００を構成する各装置について詳細を説明する。
【００１７】
２．１  測定装置（１１０）
測定装置１１０は、サーミスタ・圧力計・フォトセンサ等を介して得られた電気的情報から測定データを確定するための測定部１１１と、測定データや測定装置の状態等、各種情報を表示するためのＬＣＤやＬＥＤ等の表示部１１３と、測定データを通信装置１２０に送信するための無線通信部１１２（無線通信の方式は、例えば赤外線方式や電磁結合方式等）とを備える。
【００１８】
図２及び図３に測定装置１１０の具体例である体温計を示す。体温計２００は、ＬＣＤ等により実現される表示部２０２を備える。表示部２０２の中には、体温等の測定データを表示する測定データ表示部２０４と、測定データを通信装置１２０へ送信可能な状態であるか否かを示す送信可否表示部２０３とを備える。
【００１９】
体温計２００は、体温測定中等、測定データが定まっていない場合には、通信装置１２０への測定データの送信は行わない。測定データの送信を行うことができない場合には、図２のように表示部２０２の送信可否表示部２０３を消灯する。
【００２０】
一方、体温測定が終了し、測定データを通信装置１２０に送信可能な状態になると、図３に示すように、表示部２０２の送信可否表示部２０３が点灯する。さらに、測定データの送信が正常に終了した場合には、再び図２のように表示部２０２の送信可否表示部２０３を消灯する。このように測定者は送信可否表示部２０３を介して内部状態を容易に判読することができる。
【００２１】
２．２  通信装置（１２０）
通信装置１２０は、通信装置１２０を識別するために通信装置ＩＤを記憶する通信装置ＩＤ記憶部１２１と、測定装置１１０の無線通信部１１２と無線通信を行い、測定データを取得するための無線通信部１２２（無線通信の方式は、例えば赤外線方式や電磁結合方式等）と、測定装置１１０から受信した測定データと通信装置ＩＤとを医療データサーバ１３０に送信するための通信部１２３とを備える。なお、通信部１２３による通信は、ＴＣＰ／ＩＰやＲＳ２３２Ｃ等のプロトコルにより実現されるものとし、無線通信による場合には、電波や赤外線等を用いて行う。
【００２２】
２．３  生体情報読出し装置（１５０）
生体情報読出し装置１５０は、患者を識別するために患者識別器具１４０に付加されたバーコードやＩＤタグから患者ＩＤを読み取るための読取部１５１と、読取部１５１を介して取得した患者ＩＤを出力要求として医療データサーバ１３０に送信するとともに、医療データサーバ１３０から送信されるデータ（患者ＩＤ及び生体情報）を受信するための通信部１５２と、通信部１５２において受信した患者ＩＤ及び生体情報を表示するためのＬＣＤ等の表示部１５３とを備える。なお、通信部１５２による通信は、ＴＣＰ／ＩＰやＲＳ２３２Ｃ等のプロトコルにより実現されるものとし、無線通信による場合には、電波や赤外線等を用いて行う。
【００２３】
２．４  医療データサーバ（１３０）
医療データサーバ１３０は、通信装置１２０及び生体情報読出し装置１５０とＴＣＰ／ＩＰやＲＳ２３２Ｃ等のプロトコルで通信を行い（無線通信にあっては、電波や赤外線等を用いて行い）、測定データ及び患者ＩＤを受信する通信部１３２と、通信装置１２０を使用している患者を特定可能にする“患者ＩＤと通信装置ＩＤとの対応関係を記載した関係情報ファイル”を格納するハードディスク１３４と、生体情報を患者ＩＤと対応付けて記憶する記憶部１３３と、通信部１３２が受信した通信装置ＩＤに基づいて、関係情報ファイルを用いて患者ＩＤと測定データとを対応付けるとともに、生体情報読出し装置１５０から受信した患者ＩＤに対応付けられた生体情報を読み出すデータ処理部１３１とを備える。
【００２４】
３．生体情報収集システム１００における処理の流れ
次に、生体情報収集システム１００の運用例を示し、運用時の処理の流れを図４を用いて説明する。なお、以下では、測定装置として、図２、３を用いて上述した体温計を用いた場合について説明する。
【００２５】
測定者が患者の体温を測定し、測定が完了すると（ステップＳ４１１）、測定装置１１０では、表示部１１３の測定データ表示部２０４に測定データ（「３６．２℃」）を、送信可否表示部２０３に測定データの送信が可能である旨をそれぞれ表示する（ステップＳ４１２）。
【００２６】
送信が可能となった測定装置１１０を通信装置１２０に接続させることにより、測定データ（「３６．２℃」）は無線通信部１１２、１２２を介して通信装置１２０へ送信される（ステップＳ４１３）。
【００２７】
測定データ（「３６．２℃」）を通信装置１２０に送信した測定装置１１０は、送信可否表示部３０３を消灯させて送信終了を表示する（ステップＳ４１４）。
【００２８】
通信装置１２０では、測定装置１１０から受信した測定データ（「３６．２℃」）と通信装置ＩＤ（「０００１」）とを通信部１２３を介して医療データサーバ１３０に送信する（ステップＳ４２２）。なお、患者ごとに割り当てられた通信装置を識別する通信装置ＩＤは、予め通信装置１２０に登録しておくものとする（ここでは、通信装置ＩＤとして、「０００１」が登録されているものとする（ステップＳ４２１））。
【００２９】
医療データサーバ１３０では、通信装置１２０から受信した通信装置ＩＤ（「０００１」）に基づいて、関係情報ファイルを用いて通信装置１２０を割り当てられた患者の患者ＩＤ（「０００１２３」）を特定し、通信装置１２０から送信された測定データ（「３６．２℃」）を患者ＩＤに対応付けて記憶部１３３に記憶する（ステップＳ４３２）。これにより、患者ＩＤ（「０００１２３」）と生体情報（「３６．２℃」）との関係付けが成立する。なお、通信装置ＩＤと患者ＩＤの対応関係を記載した関係情報ファイルは、予め医療データサーバ１３０に生成しておくものとする（ステップＳ４３１）。
【００３０】
測定者が携帯する生体情報読出し装置１５０は、患者を識別するための患者ＩＤ（「０００１２３」）の情報を読取部１５１にて読み取ることで患者ＩＤ（「０００１２３」）を取得する（ステップＳ４４１）。生体情報読出し装置１５０では、取得した患者ＩＤに対応する患者の生体情報を入手すべく、通信部１５２、１３２を介して医療データサーバ１３０に患者ＩＤ（「０００１２３」）を送信し、出力要求を行う（ステップＳ４４２）。
【００３１】
出力要求を受けた医療データサーバ１３０では、患者ＩＤ（「０００１２３」）に対応付けられた生体情報（「３６．２℃」）を記憶部１３３より読み出す（ステップＳ４３３）。さらに、当該読み出した生体情報（「３６．２℃」）を患者ＩＤ（「０００１２３」）とともに生体情報読出し装置１５０に送信する（ステップＳ４３４）。
【００３２】
医療データサーバ１３０から測定データ（「３６．２℃」）及び患者ＩＤ（「０００１２３」）を受信した生体情報読出し装置１５０では、受信データを表示部１５３に表示する（ステップＳ４４３）。これにより、測定者は所望の患者の生体情報を確認することができる。
【００３３】
以上の説明から明らかなように、本実施形態によれば、患者ごとに割り当てられた通信装置が、無線通信により測定装置の測定データを受信する構成を備えることにより、測定データの自動入力が可能となる。
【００３４】
また、患者ごとに割り当てられ、測定データを受信する通信装置が予め通信装置ＩＤを記憶しておき、通信装置を介して測定データを収集する医療データサーバが通信装置ＩＤと患者ＩＤとの対応関係を予め記憶しておく構成とすることにより、収集した測定データを自動的に患者ＩＤと対応付けて記憶することが可能となる。
【００３５】
この結果、従来のように、測定データの誤記・誤入力を回避することが可能となり、患者と測定データの取り違え等のミスをなくすことができるようになる。
【００３６】
さらに、本実施形態にかかる生体情報収集システムによれば、測定者は測定装置を用いて患者を測定した後、通信装置に当該測定データを送信するだけで、当該測定データが患者ＩＤと対応付けて記憶されることとなり、他の操作を行う必要がなくなる。つまり、測定者にとっては極めて操作性の高い生体情報収集システムを実現することが可能となる。
【００３７】
［第２の実施形態］
上記第１の実施形態では、医療データサーバにおいて、通信装置ＩＤと患者ＩＤとの対応関係を記載した関係情報ファイルを保持する構成としたが、本発明は特にこれに限定されない。
【００３８】
測定装置から通信装置に対して測定データを送信する際に、通信装置が患者ＩＤをあわせて読み取ることができるように構成してもよい。かかる構成により、通信装置から医療データサーバに測定データを送信する際に、患者ＩＤもあわせて送信することが可能となる。この結果、医療データサーバでは、そのまま測定データと患者ＩＤとを対応付けて記憶部に記憶することができる。
【００３９】
また、上記第１の実施形態では、生体情報読出し装置より、所定の患者の生体情報を出力要求するに際して、患者識別器具に付加されているバーコード等を読み取り、該バーコードに含まれていた患者ＩＤを医療データサーバに送信する構成としたが、本発明は特にこれに限定されない。例えば、生体情報読出し装置に対して、直接患者ＩＤを入力する構成としてもよい。
【００４０】
図５は、本発明の第２の実施形態にかかる生体情報収集システムの構成を示す図である。図１に示す生体情報収集システムと対応する箇所については、同じ参照番号を付してある。以下、異なる参照番号が付された箇所を中心に説明する。
【００４１】
５２０は通信装置であり、測定装置１１０の無線通信部１１２と無線通信を行い、測定データを取得するための無線通信部１２２（無線通信の方式は、例えば赤外線方式や電磁結合方式等）と、測定装置１１０から受信した測定データを医療データサーバ１３０に送信するための通信部１２３とを備える。更に、患者を識別するために患者識別器具１４０に付加されたバーコードやＩＤタグから患者ＩＤを読み取るための読取部５２１を備える。
【００４２】
なお、通信部１２３では、無線通信部１２２を介して取得された測定データと、患者を識別するために患者識別器具１４０に付加されたバーコードやＩＤタグから読み取られた患者ＩＤとを対応付けて医療データサーバ５３０に送信する。
【００４３】
５３０は医療データサーバであり、通信装置５２０及び生体情報読出し装置１５０とＴＣＰ／ＩＰやＲＳ２３２Ｃ等のプロトコルで通信を行い、測定データ及び患者ＩＤを取得するための通信部１３２と、取得した測定データと患者ＩＤとを対応付けて記憶する記憶部１３３と、生体情報読出し装置１５０から受信した患者ＩＤに関係付けられた測定データを記憶部１３３から読み出すデータ処理部１３１とを備える。
【００４４】
１５０は生体情報読出し装置であり、患者を識別するために患者識別器具１４０に付加されたバーコードやＩＤタグから患者ＩＤを読み取るための読取部１５１と、読取部１５１にて読み取られた患者ＩＤを医療データサーバ５３０に対して出力要求として送信するとともに、医療データサーバ５３０からのデータを受信するための通信部１５２と、通信部１５２において受信した患者ＩＤ及び測定データを表示するためのＬＣＤ等の表示部１５３とを備える。なお、通信部１５２による通信は、ＴＣＰ／ＩＰやＲＳ２３２Ｃ等のプロトコルにより実現されるものとし、無線通信による場合には、電波や赤外線等を用いて通信を行う。
【００４５】
上記構成により、通信装置５２０では、取得した測定データを患者ＩＤとともに送信することが可能となり、医療データサーバ５３０では、測定データと患者ＩＤとを対応づけて記憶することが可能となる。
【００４６】
また、生体情報読出し装置１５０では、患者ＩＤを読み取り、当該患者ＩＤに対応する生体情報を医療データサーバ５３０より取得することが可能となる。
【００４７】
［第３の実施形態］
上記第１の実施形態では、医療データサーバにおいて、通信装置ＩＤと患者ＩＤとの対応関係を記載した関係情報ファイルを保持する構成を備えることとしたが、本発明は特にこれに限定されない。
【００４８】
測定データを取得する測定装置が患者ごとに割り当てられ、かつ測定装置ＩＤを記憶し、更に医療データサーバが測定装置ＩＤと患者ＩＤとの対応関係を記載した関係情報ファイルを保持する構成とすることにより、測定データを自動的に患者ＩＤと対応付けて記憶するようにしてもよい。
【００４９】
図６は、本発明の第３の実施形態にかかる生体情報収集システムの構成を示す図である。図１または図５に示す生体情報収集システムと対応する箇所については、同じ参照番号を付してある。以下、異なる参照番号が付された箇所を中心に説明する。
【００５０】
６１０は測定装置であり、サーミスタ・圧力計・フォトセンサ等を介して得られた電気的情報から測定データを確定するための測定部１１１と、測定データや測定装置の状態等、各種情報を表示するためのＬＣＤやＬＥＤ等の表示部１１３と、測定データを測定装置ＩＤとともに通信装置６２０に送信するための無線通信部１１２（無線通信の方式は、例えば赤外線方式や電磁結合方式等）とを備える。さらに、測定装置６１０を識別するために測定装置ＩＤを記憶する測定装置ＩＤ記憶部６１１を備える。
【００５１】
６２０は通信装置であり、測定装置１１０の無線通信部１１２と無線通信を行い、測定データを取得するための無線通信部１２２（無線通信の方式は、例えば赤外線方式や電磁結合方式等）と、測定装置１１０から受信した測定データと測定装置ＩＤとを医療データサーバ６３０に送信するための通信部１２３とを備える。なお、通信部１２３による通信は、ＴＣＰ／ＩＰやＲＳ２３２Ｃ等のプロトコルにより実現されるものとし、無線通信による場合には、電波や赤外線等を用いて行う。
【００５２】
６３０は医療データサーバであり、通信装置６２０及び生体情報読出し装置５５０とＴＣＰ／ＩＰやＲＳ２３２Ｃ等のプロトコルで通信を行い（（無線通信にあっては、電波や赤外線等を用いて行い）、測定データ及び患者ＩＤを受信する通信部１３２と、通信装置６２０を使用している患者を特定可能にする“患者ＩＤと測定装置ＩＤとの対応関係を記述した関係情報ファイル”を格納するハードディスク６３１と、患者ＩＤと生体情報とを対応付けて記憶する記憶部１３３と、通信部１３２が受信した測定装置ＩＤに基づいて、関係情報ファイルを用いて患者ＩＤと生体情報とを関係付けるとともに、生体情報読出し装置１５０から受信した患者ＩＤに関係付けられた生体情報を記憶部１３３から読み出すデータ処理部１３１とを備える。
【００５３】
１５０は生体情報読出し装置であり、患者を識別するために患者識別器具１４０に付加されたバーコードやＩＤタグから患者ＩＤを読み取るための読取部１５１と、読取部１５１にて読み取られた患者ＩＤを医療データサーバ６３０に出力要求として送信するとともに、医療データサーバ６３０からのデータ（患者ＩＤ及び生体情報）を受信するための通信部１５２と、通信部１５２により受信した患者ＩＤ及び生体情報を表示するためのＬＣＤ等の表示部１５３とを備える。なお、通信部１５２による通信は、ＴＣＰ／ＩＰやＲＳ２３２Ｃ等のプロトコルにより実現されるものとし、無線通信による場合には、電波や赤外線等を用いて行う。
【００５４】
以上の説明から明らかなように、本実施形態によれば、測定データを取得する測定装置が患者ごとに割り当てられ、かつ測定装置ＩＤを記憶し、更に測定データを収集する医療データサーバが測定装置ＩＤと患者ＩＤとの対応関係を記載した関係情報ファイルを保持することにより、測定データを自動的に患者ＩＤと対応付けて記憶することが可能となる。
【００５５】
［第４の実施形態］
上記第１の実施形態では、医療データサーバにおいて、通信装置ＩＤと患者ＩＤとの対応関係を記載した関係情報ファイルを保持する構成としたが、本発明は特にこれに限定されない。
【００５６】
生体情報読出し装置が患者ＩＤを読み取り、更に測定装置から測定データを取得できる構成としてもよい。かかる構成により、生体情報読出し装置から医療データサーバに測定データを送信する際に、患者ＩＤもあわせて送信することが可能となる。この結果、医療データサーバでは、そのまま測定データと患者ＩＤとを対応付けて記憶部に記憶することができる。
【００５７】
図７は、本発明の第４の実施形態にかかる生体情報収集システムの構成を示す図である。なお、図１または図５に示す生体情報収集システムと対応する箇所については、同じ参照番号を付してある。以下、異なる参照番号が付された箇所を中心に説明する。
【００５８】
５１０は測定装置であり、サーミスタ・圧力計・フォトセンサ等を介して得られた電気的情報から測定データを確定するための測定部１１１と、測定データや測定装置の状態等、各種情報を表示するためのＬＣＤやＬＥＤ等の表示部１１３と、測定データを生体情報読出し装置７２０に送信するための無線通信部１１２（無線通信の方式は、例えば赤外線方式や電磁結合方式等）とを備える。
【００５９】
生体情報読出し装置７２０は、患者を識別するために患者識別器具１４０に付加されたバーコードやＩＤタグから患者ＩＤを読み取るための読取部１５１と、読取部１５１を介して取得した患者ＩＤを出力要求として医療データサーバ５３０に送信するとともに、医療データサーバ５３０から送信されるデータ（患者ＩＤ及び生体情報）を受信するための通信部１２３と、通信部１２３において受信した患者ＩＤ及び生体情報を表示するためのＬＣＤ等の表示部１５３とを備える。また、生体情報読出し装置７２０は、測定装置５１０の無線通信部１１２と無線通信を行い、測定データを取得するための無線通信部１２２（無線通信の方式は、例えば、赤外線方式や電磁結合方式等）を備える。なお、通信部１２３による通信は、ＴＣＰ／ＩＰやＲＳ２３２Ｃ等のプロトコルにより実現されるものとし、無線通信による場合には、電波や赤外線や電磁結合等を用いて通信を行う。
【００６０】
５３０は医療データサーバであり、生体情報読出し装置７２０とＴＣＰ／ＩＰやＲＳ２３２Ｃ等のプロトコルで通信を行い（無線通信にあっては、電波や赤外線等を用いて行い）、測定データ及び患者ＩＤを受信する通信部１３２と、患者ＩＤと生体情報とを関係付けて記憶する記憶部１３３と、生体情報読出し装置７２０から受信した患者ＩＤに関係付けられた生体情報を記憶部１３３から読み出すデータ処理部１３１とを備える。
【００６１】
以上の説明から明らかなように、本実施形態によれば、患者ＩＤと測定装置が測定した測定データを共に生体情報読出し装置が収集し関連付けし、関連付けた情報を医療データサーバに送信し、医療データサーバがそのデータを記憶する構成とすることにより、測定データと患者ＩＤとを対応付けて記憶することが可能となる。
【図面の簡単な説明】
【００６２】
【図１】本発明の第１の実施形態にかかる生体情報収集システム１００の構成を示す図である。
【図２】測定装置１１０の一例である、体温計の外観構成を示す図である。
【図３】測定装置１１０の一例である、体温計の外観構成を示す図である。
【図４】生体情報収集システムにおける処理の流れを示す図である。
【図５】本発明の第２の実施形態にかかる生体情報収集システムの構成を示す図である。
【図６】本発明の第３の実施形態にかかる生体情報収集システムの構成を示す図である。
【図７】本発明の第４の実施形態にかかる生体情報収集システムの構成を示す図である。
【図１】
0005148857.tif 000002
【図２】
0005148857.tif 000003
【図３】
0005148857.tif 000004
【図４】
0005148857.tif 000005
【図５】
0005148857.tif 000006
【図６】
0005148857.tif 000007
【図７】
0005148857.tif 000008